(57)【要約】【課題】  パネル部材を操作盤ボックスに確実に装着することができ、パネル部材のがたつきを防止できるエレベータの操作盤を提供する。【解決手段】  乗りかご内の壁面に略垂直に配置される操作盤ボックス９と、操作盤ボックス９の前面に取付けられる操作パネル１とを備え、操作盤ボックス９は内側面から突出する軸１１を有し、操作パネル１は軸１１に対向するように裏面側に配置される切り欠き１４を有し、軸１１と切り欠き１４とを嵌合して操作パネルを操作盤ボックス９に装着し、操作パネル１は裏面側に取付けられる固定片１２を有し、固定片１２が切り欠き１４を有する。【選択図】図３
2015157666.tif 000002
【特許請求の範囲】
【請求項１】
乗りかご内の壁面に略垂直に配置される操作盤ボックスと、前記操作盤ボックスの前面に取付けられるパネル部材とを備え、前記操作盤ボックスは、前記操作盤ボックスの内側面から突出する突起部を有し、前記パネル部材は、前記突起部に対向するように前記パネル部材の裏面側に配置される切り欠きを有し、前記突起部と前記切り欠きとを嵌合して前記パネル部材を前記操作盤ボックスに装着するエレベータの操作盤において、
前記パネル部材は、前記パネル部材の裏面側に取付けられる固定片を有し、前記固定片が前記切り欠きを有することを特徴とするエレベータの操作盤。
【請求項２】
請求項１において、前記切り欠きは、水平部，傾斜部および垂直部を有することを特徴とするエレベータの操作盤。
【請求項３】
請求項１または請求項２において、前記パネル部材は、前記パネル部材の裏面側左右縁部に固定され、前記パネル部材の略全長にわたって延設される補強体を備え、前記固定片が前記補強体に取付けられることを特徴とするエレベータの操作盤。
【請求項４】
請求項３において、前記固定片は、前記補強体の任意の位置にボルトにより締結固定されることを特徴とするエレベータの操作盤。
【請求項５】
請求項３または請求項４において、前記補強体の奥行き方向の寸法は、前記操作盤ボックスの奥行き方向の寸法よりも小さいことを特徴とするエレベータの操作盤。
【請求項６】
請求項５において、前記操作盤ボックスは、その側面部にケーブル引き込み用の開口部を有することを特徴とするエレベータの操作盤。
【請求項７】
請求項６において、前記補強体の奥行き方向の寸法は、前記操作盤ボックスの奥行き方向の寸法と前記開口部の奥行き方向の寸法との差よりも小さいことを特徴とするエレベータの操作盤。
【発明の詳細な説明】
【技術分野】
【０００１】
本発明は、エレベータの操作盤に関する。
【背景技術】
【０００２】
一般に、エレベータの操作盤は、エレベータの乗場やかごの壁面に設けられた操作盤ボックスの前面にパネル部材を取付けて形成される。ここで、パネル部材は、例えば、かごの現在位置やかごの走行方向等を表示するインジケータと、利用者が行先階等を操作する操作パネル等により構成される。
【０００３】
このようなエレベータの操作盤における操作パネルの取付けと取外しの作業を容易にする技術として、特許文献１に記載される技術が知られている。
【０００４】
本技術においては、操作盤ボックスの前面に取り付けられたパネル部材が、上部体と、この上部体の下方に配置される下部体とに分離して形成される。下部体には、前面側からみて左右の側縁から裏面側に向かってそれぞれ突出する第１の突起面が設けられ、この第１の突起面には、操作盤ボックスの内側面から突出する突起部を嵌合させて下部体を下方に移動させる切り欠き溝が形成される。また、上部体には、前面側からみて左右の側縁から裏面側に向かってそれぞれ突出する第２の突起面が設けられ、操作盤ボックスの内側面には、第２の突起面を内側面に向かって付勢する弾性部材が取り付けられる。
【先行技術文献】
【特許文献】
【０００５】
【特許文献１】特開２０１０−１１３４号公報
【発明の概要】
【発明が解決しようとする課題】
【０００６】
上記従来技術においては、操作盤ボックスの内側面から突出する突起部を、パネル部材左右側縁の突起面に設けた切り欠き溝へ嵌合させる際、製作誤差により操作盤ボックスの位置がずれていると、突起部と切り欠き溝の嵌合が不十分となるため、パネル部材のがたつきが生じるという問題がある。
【０００７】
そこで、本発明は、パネル部材を操作盤ボックスに確実に装着することができ、パネル部材のがたつきを防止できるエレベータの操作盤を提供する。
【課題を解決するための手段】
【０００８】
上記課題を解決するために、乗りかご内の壁面に略垂直に配置される操作盤ボックスと、操作盤ボックスの前面に取付けられるパネル部材とを備え、操作盤ボックスは内側面から突出する突起部を有し、パネル部材は突起部に対向するように裏面側に配置される切り欠きを有し、突起部と切り欠きとを嵌合してパネル部材を操作盤ボックスに装着するものであって、パネル部材は裏面側に取付けられる固定片を有し、固定片が切り欠きを有する。
【発明の効果】
【０００９】
本発明によれば、パネル部材の切り欠きが固定片に設けられることにより、突起部と切り欠きの位置関係を容易に調整できる。このため、パネル部材を操作盤ボックスに確実に装着して、パネル部材のがたつきを防止できる。
【００１０】
上記した以外の課題、構成および効果は、以下の実施形態の説明により明らかにされる。
【図面の簡単な説明】
【００１１】
【図１】本発明の一実施形態である操作盤が設置される乗りかごの内部構成を示す。
【図２】本実施形態の操作盤の正面図である。
【図３】本実施形態の操作盤の側面図である。
【図４】本実施形態における操作盤ボックスの正面図である。
【図５】本実施形態における操作盤ボックスの側面図である。
【図６】本実施形態の操作盤の登録釦取付け部における一断面図である。
【図７】本実施形態の操作パネルにおける登録釦部の拡大図である。
【図８】固定片と軸の嵌合状態を示す。
【発明を実施するための形態】
【００１２】
以下、本発明の実施形態について図面を用いて説明する。
【００１３】
図１は、本発明の一実施形態である操作盤が乗りかご内に設置されるエレベータについて、乗りかごの内部構成の概略を示す。なお、本図は、乗りかごの奥から、かごドア２０を見た場合の乗りかご内を示す。
【００１４】
図１に示すように、乗りかご内におけるかごドア２０脇の壁面には、後述する操作盤ボックスが略垂直に配置されて取付けられており、この操作盤ボックスの前面には、パネル部材として、操作パネル１と表示器２が取付けられている。操作パネル１は、行先階の登録釦や扉の開閉を操作する操作釦が支持体に支持されて構成される。表示器２は、かごの現在位置やかごの走行方向等を表示する表示パネルが支持体に支持されて構成される。操作パネル１と表示器２の形状は、前面側からみて、略矩形状である。また、操作パネル１の上方に、表示器２が配置されている。操作パネル１，表示器２および操作盤ボックスが一体となって、かごドア２０脇に位置する乗りかごの前側板を構成する。乗りかご内における操作パネル１および表示器２の表面が、前側板の意匠面となる。
【００１５】
図２は、本実施形態の操作盤の正面図である。
【００１６】
図２に示すように、操作パネル１においては、上部パネル３，行先階登録釦やドア開閉操作釦等が取り付けられる中間パネル４，スイッチボックス５および下部パネル６が、この順に上方から下方に向かって並設され、かつ互いに連結されて一体化されている。より具体的に、操作パネル１は、操作パネル１の裏面側左右縁部に固定され、操作パネル１の略全長にわたって延設される補強体７を介して、上部パネル３，中間パネル４，スイッチボックス５および下部パネル６が互いに連結された構造を有する。
【００１７】
以下、本実施形態の詳細な構成について、図３〜７を用いて説明する。
【００１８】
図３は、本実施形態の操作盤の側面図である。図４および図５は、それぞれ、本実施形態における操作盤ボックスの正面図および側面図である。図６は、本実施形態の操作盤における登録釦取付け部における一断面図である。図７は、操作パネルにおける登録釦部の拡大図である。
【００１９】
図３に示す表示器２においては、液晶ディスプレイなどの表示パネル２１が、図示しない支持体の前面側に取付けられる。この支持体は、図３に示すように、板状のツメ８を有している。ツメ８は、表示器２を前面側からみたとき、支持体の左右の縁からそれぞれ裏面方向に向かって突出し、かつ支持体の略全長にわたって設けられる。操作盤ボックス９の側面部９２において表示器２が取付けられる領域には、図３〜５に示すように、表示器２のツメ８を側面部９２の内壁に押付ける板ばね１７が設けられる。表示器２を操作盤ボックス９内（すなわち後述する凹部１０（図４，７））に押し込むことにより、ツメ８が、板ばね１７と側面部９２の内壁面との間に差し込まれて、板ばね１７によって側面部９２の内壁面に押し付けられる。これにより、表示器２は、操作ボックス９において、位置決めされ、固定される。なお、本実施形態においては、板ばね１７の先端部分が側面部９２と反対側に折り曲げられているので、表示器２を押し込む際に、ツメ８を板ばね１７と側面部９２の内壁面との間に容易に差し込むことができる。
【００２０】
図４に示すように、操作盤ボックス９は、略矩形の板材を折り曲げて形成される。具体的には、板材の長手方向に沿う左右の縁を略直角に一方向（前方）に折り曲げて図５および図６に示す側面部９２を形成し、この折り曲げた面をそれぞれ外側に直角に折り曲げて図４および図６に示す縁部９３が形成される。操作盤ボックス９においては、このように板材が折り曲げられることにより、操作盤ボックス９の長手方向に沿って、図４，６に示すような直方体の空間すなわち凹部１０が形成される。
【００２１】
操作盤ボックス９の側面部９２の内壁面すなわち内側面からは、図４〜６に示すように、操作パネル１を固定するための突起部である軸１１が突出している。軸１１は、操作盤ボックス９の長手方向において、所定の間隔で設けられる。また、軸１１の断面形状は円形状である。一方、操作パネル１の補強体７には、図３および図６に示すように、軸１１と対向する位置に複数の固定片１２がボルト１３により締結固定される。これらの固定片１２は略Ｙ字状の切り欠き１４を有し、切り欠き１４と軸１１とが嵌合することにより、操作パネル１が操作盤ボックスに固定される。
【００２２】
また、固定片１２は、図７に示すように、行先階の登録釦や扉の開閉を操作する操作釦が位置する場所において、隣接する釦取付け金具１５間に配置される。これにより、固定片１２は、釦取付け金具１５の固定を妨げることが無く、かつ釦取付け金具１５に挟持されて、がたつきを防止される。
【００２３】
なお、本実施形態における固定片１２の外形は、図３に示すように、角部が鈍角になるように加工されている。これにより、切り欠き１４の間口が広がり、軸１１との嵌合が容易になる。また、固定片１２の取り付け作業の際に、手で固定片１２を支持する際などにおける取り扱いが容易になる。
【００２４】
また、図３および図５に示すように、操作盤ボックス９の側面部９２には、さらに、表示器２，行先階の登録釦，扉の開閉を操作する操作釦およびスイッチボックス５等に接続される図示しないケーブルを引き込むための開口部であるケーブル引き込み口１６が設けられる。なお、図示してはいないが、本実施形態では、ケーブルは乗りかご上から引き込まれるので、ケーブル引き込み口１６を操作盤ボックス９の側面部９２に設けることにより、ケーブル長を短縮することができる。
【００２５】
ここで、設置状態にある操作盤ボックス９の奥行き方向において、ケーブル引き込み口１６は、補強体７よりも奥に位置し、補強体７によって塞がれない。このため、同奥行き方向において、補強体７の寸法ｗ１は、ケーブル引き込み口１６を開口できるように、操作盤ボックス９の寸法ｗよりも十分小さくする。すなわち、同奥行き方向におけるケーブル引き込み口１６の寸法をｗ２とすると、補強体７の寸法ｗ１は、ｗ１＜ｗ−ｗ２となるように設定される。なお、軸１１と嵌合する切り欠き１４は固定片１２に設けられるので、ケーブル引き込み口１６と切り欠きとの位置関係設定の自由度が高くなり、同じ操作盤ボックス９の側面部９２において、軸１１および切り欠き１４の嵌合と、ケーブル引き込み口１６の開口とを両立することができる。また、上記のような補強体７により、操作パネル１の厚さ寸法を低減できる。すなわち、操作パネルが薄型化および軽量化される。このため、操作パネル１のコストを低減できると共に、据え付け作業が容易になる。
【００２６】
次に、操作パネル１の取付け動作について、図８を用いて説明する。
【００２７】
図８は、固定片１２と軸１１の嵌合状態を示す。本図は、動作説明用の図であるため、固定片１２の外形形状は簡略化している。
【００２８】
図８に示すように、切り欠き１４は、水平部１４ａ，傾斜部１４ｂおよび垂直部１４ｃからなる。水平部１４ａおよび傾斜部１４ｂは、軸１１より若干大きな幅寸法を有している。また、垂直部１４ｃは、軸１１との嵌合を可能ならしめると共に、嵌合状態で操作パネル１に、がたつきが生じないような幅寸法を有している。さらに、垂直部１４ｃの終端の形状は、軸１１の断面形状に応じた円弧状である。
【００２９】
操作パネル１を操作盤ボックス９に取り付ける場合、まず、操作パネル１の固定片１２の切り欠き１４の水平部１４ａに軸１１が対向するように、操作パネル１を操作盤ボックス９に対して位置合わせする。次に、各軸１１の位置を切り欠き１４の水平部１４ａ，傾斜部１４ｂおよび垂直部１４ｃに沿って変位させつつ、操作パネル１を操作盤ボックス９の凹部１０に押し込む。この時、切り欠き１４の垂直部１４ｃが軸１１に到達すると、操作パネル１は、垂直部１４ｃに案内されて下方に移動する。これによって、軸１１と切り欠き１４の垂直部１４ｃが嵌合すると、操作パネル１は凹部１０の奥まで収納されて位置決めされ、かつ操作パネル１の前面はかご内の壁面と略面一の状態となる。
【００３０】
なお、切り欠き１４は、水平部１４ａ，傾斜部１４ｂおよび垂直部１４ｃからなる形状であると共に、垂直部１１ｃが、軸１１と嵌合可能、かつ、がたつきが生じないような幅寸法を有するため、操作パネル１を操作盤ボックス９の凹部１０に押し込んだ際、複数の軸１１のうち、図８のＡに示すように、一部の軸１１が垂直部１４ｃの端部まで到達せず、嵌合が不十分であっても、操作パネル１はがたつくことなく位置決めされる。
【００３１】
次に、操作パネル１が収納された凹部１０の残りの空間、つまり操作パネル１の上方の空間に、表示器２を押し込むことにより、上述したように、表示器２のツメ８が、凹部１０の側面部９２の内壁面と板ばね１７との間に差し込まれる。これにより、表示器２は、左右のツメ８がそれぞれ板ばね１７によって凹部１０の側面部９２の方向に押圧されるため、凹部１０内に固定され、前面はかご内の壁面と略面一の状態となる。
【００３２】
ここで、製作誤差などにより、軸１１と固定片１２の切り欠き１４の位置関係に不具合があるため、操作パネル１の押し込みが不十分になるような場合、ボルト１３を緩め、固定片１２の位置を調整した後、再びボルト１３を締結し、固定片１２を適切な位置で締結固定する。この後、前述した手順で操作パネル１を操作盤ボックス９に装着する。
【００３３】
なお、図６に示すように、固定片１２は、操作パネル１の補強体７に固定片１２の根元をボルト１３とナットによって締付けることにより、操作パネル１に固定される。補強体７は断面が略矩形の筒状部を有し、この筒状部はその長手方向に沿って開口部を有する。ボルト１３の頭部は筒状部内に挿入され、ボルト１３のネジ部は補強体７の開口部から筒状部外に突出している。このため、補強体７の長手方向に沿って、ボルト１３を移動させることができる。また、筒状部の断面寸法は、ボルト１３にナットをねじ留めする際にボルト１３が回転しないような寸法に設定される。また、補強体７の開口部の幅寸法は、ボルト１３の頭部が補強体７の開口部から抜け出さないような寸法に設定される。このような補強体７により、ボルト１３が補強体７に案内されて移動可能となり、移動した場所でナットを回せば、固定片をボルト１３とナットによって締付け固定できる。すなわち、固定片１２は、補強体７の任意の位置にボルト１３により締結固定できる。これにより、固定片１２の位置調整ができる。
【００３４】
上述した本実施形態によれば、操作盤ボックス９の軸１１と嵌合する操作パネル１の切り欠け１４が固定片１２に設けられることにより、軸１１と切り欠け１４の位置関係を容易に調整できる。このため、操作パネル１を操作盤ボックス９に確実に装着して、操作パネル１のがたつきを防止できる。
【００３５】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。さらに、実施形態の構成の一部について、他の構成の追加・削除・置き換えをすることが可能である。
【００３６】
例えば、固定片の外形形状は、実施形態（図２）の形状に限らず、矩形（図８）などでも良い。また、突起部である軸１１の断面形状も、円形状に限らず、多角形状などでも良い。
【符号の説明】
【００３７】
１    操作パネル
２    表示器
７    補強体
９    操作盤ボックス
１１    軸
１２    固定片
１３    ボルト
１４    切り欠き
１４ａ  水平部
１４ｂ  傾斜部
１４ｃ  垂直部
１５    釦取り付け金具
１７    板ばね
２０    かごドア
２１    表示パネル
９２    縁部
９３    側面部
【図１】
2015157666.tif 000003
【図２】
2015157666.tif 000004
【図３】
2015157666.tif 000005
【図４】
2015157666.tif 000006
【図５】
2015157666.tif 000007
【図６】
2015157666.tif 000008
【図７】
2015157666.tif 000009
【図８】
2015157666.tif 000010